(57)【要約】【課題】  被走査体に到達するゴースト光を低減できる光走査装置を提供する。【解決手段】  この光走査装置１では、ＳＯＳセンサ１９の入射面２７が所定の粗さを有する磨り面となっている。そのため、ＳＯＳセンサ１９に光ビームが入射した際に生じる入射面２７からの反射光（ゴースト光）が拡散し、感光ドラム１７に到達するゴースト光を低減することができる。また、この光走査装置１では、ゴースト光の低減にあたってＳＯＳセンサ１９を光軸に対して傾けたり、遮光板などの別部材を配置させたりする必要がないため、光学系の設計・製造が容易となる。【選択図】  図２
2005352413.tif 000002
【特許請求の範囲】
【請求項１】
光ビームを出射する光源と、前記光ビームを反射して被走査体上を走査させる回転多面鏡と、前記回転多面鏡から反射した前記光ビームの一部を受光して前記光ビームの走査を開始するタイミングを検出する走査開始検出センサと、を備える光走査装置であって、
前記走査開始検出センサの入射面は、所定の粗さを有する磨り面であること、
を特徴とする光走査装置。
【請求項２】
光ビームを出射する光源と、前記光ビームを反射して被走査体上を走査させる回転多面鏡と、前記回転多面鏡から反射した前記光ビームの一部を受光して前記光ビームの走査を開始するタイミングを検出する走査開始検出センサと、を備える光走査装置であって、
前記走査開始検出センサの入射面にパワーが付けられていること、
を特徴とする光走査装置。
【請求項３】
光ビームを出射する光源と、前記光ビームを反射して被走査体上を走査させる回転多面鏡と、前記回転多面鏡から反射した前記光ビームの一部を受光して前記光ビームの走査を開始するタイミングを検出する走査開始検出センサと、を備える光走査装置であって、
前記走査開始検出センサの入射面には、前記光ビームを拡散して反射させる接着剤が塗布されていること、
を特徴とする光走査装置。
【請求項４】
光ビームを出射する光源と、前記光ビームを反射して被走査体上を走査させる回転多面鏡と、前記回転多面鏡から反射した前記光ビームの一部を受光して前記光ビームの走査を開始するタイミングを検出する走査開始検出センサと、を備える光走査装置であって、
前記走査開始検出センサの入射面には、前記光ビームを拡散して反射させる塗料が塗布されていること、
を特徴とする光走査装置。
【発明の詳細な説明】
【技術分野】
【０００１】
本発明は、光ビームを被走査体に走査させる光走査装置に関する。
【背景技術】
【０００２】
従来、光ビームを被走査体に走査させる光走査装置として、例えばフルカラーのレーザープリンタに搭載され、光源から出射させたレーザー光を等速で回転する多面鏡（ポリゴンミラー）に反射させることにより、レーザー光を被走査体である感光ドラム上に走査させるものが知られている（特許文献１参照）。そして、レーザー光の走査によって感光ドラム上に形成された静電潜像がトナーによって現像され、記録紙に印刷される。
【特許文献１】特開２００４−１２７７４号公報
【発明の開示】
【発明が解決しようとする課題】
【０００３】
ところで、この種の光走査装置には、ＳＯＳ（Ｓｔａｒｔ  Ｏｆ  Ｓｃａｎ）センサと呼ばれる光電センサを有するものがある。このＳＯＳセンサは、例えば感光ドラムの近傍に配置され、感光ドラムの有効書き込み領域に到達する直前の位置で光源からのレーザー光を検出する。そして、ＳＯＳセンサがレーザー光を検出してから所定のクロック数をカウントした後にレーザー光を感光ドラム上に走査させることで、走査開始のタイミングを決定する。
【０００４】
一方、このようなＳＯＳセンサは、基板に固定された受光素子をアクリル等のパッケージ内に収容して構成されている。そのため、ＳＯＳセンサにレーザー光が入射する場合、受光素子の受光面やパッケージの表面で、いわゆるゴースト光と呼ばれる反射光が生じる。このゴースト光が装置内部を伝搬して感光ドラムに到達すると、正しい静電潜像が形成されず、印画不良を引き起こす要因となり得る。
【０００５】
そこで、本発明は上記課題を解決するためになされたもので、被走査体に到達するゴースト光を低減できる光走査装置を提供することを目的とする。
【課題を解決するための手段】
【０００６】
上記課題の解決のため、本発明に係る光走査装置は、光ビームを出射する光源と、光ビームを反射して被走査体上を走査させる回転多面鏡と、回転多面鏡から反射した光ビームの一部を受光して光ビームの走査を開始するタイミングを検出する走査開始検出センサと、を備える光走査装置であって、走査開始検出センサは、入射面が所定の粗さを有する磨り面であることを特徴としている。
【０００７】
この光走査装置では、走査開始検出センサの入射面が所定の粗さを有する磨り面となっている。そのため、この走査開始検出センサに光ビームが入射した際に生じる入射面からの反射光（ゴースト光）が拡散し、被走査体に到達するゴースト光を低減することができる。また、この光走査装置は、センサを光軸に対して傾けたり、遮光板などの別部材を配置させたりする必要がないため、光学系の設計・製造が容易となる。
【０００８】
また、本発明に係る光走査装置は、光ビームを出射する光源と、光ビームを反射して被走査体上を走査させる回転多面鏡と、回転多面鏡から反射した光ビームの一部を受光して光ビームの走査を開始するタイミングを検出する走査開始検出センサと、を備える光走査装置であって、走査開始検出センサの入射面にパワーが付けられていることを特徴としている。
【０００９】
この光走査装置では、走査開始検出センサの入射面にパワーが付けられている。ここでいう「パワーを付ける」とは、入射面に曲率を持たせて凸面状又は凹面状に形成することをいう。そのため、この走査開始検出センサに光ビームが入射した際に生じる入射面からの反射光が屈折によって拡散し、被走査体に到達するゴースト光を低減することができる。また、この光走査装置は、センサを光軸に対して傾けたり、遮光板などの別部材を配置させたりする必要がないため、光学系の設計・製造が容易となる。
【００１０】
また、本発明に係る光走査装置は、光ビームを出射する光源と、光ビームを反射して被走査体上を走査させる回転多面鏡と、回転多面鏡から反射した光ビームの一部を受光して光ビームの走査を開始するタイミングを検出する走査開始検出センサと、を備える光走査装置であって、走査開始検出センサの入射面には、光ビームを拡散して反射させる接着剤が塗布されていることを特徴としている。
【００１１】
この光走査装置では、走査開始検出センサの入射面に光ビームを拡散して反射させる接着剤が塗布されている。そのため、この走査開始検出センサに光ビームが入射した際に生じる入射面からの反射光が接着剤によって拡散し、被走査体に到達するゴースト光を低減することができる。また、この光走査装置は、センサを光軸に対して傾けたり、遮光板などの別部材を配置させたりする必要がないため、光学系の設計・製造が容易となる。
【００１２】
また、本発明に係る光走査装置は、光ビームを出射する光源と、光ビームを反射して被走査体上を走査させる回転多面鏡と、回転多面鏡から反射した光ビームの一部を受光して光ビームの走査を開始するタイミングを検出する走査開始検出センサと、を備える光走査装置であって、走査開始検出センサの入射面には、光ビームを拡散して反射させる塗料が塗布されていることを特徴としている。
【００１３】
この光走査装置では、走査開始検出センサの入射面に光ビームを拡散して反射させる塗料が塗布されている。そのため、この走査開始検出センサに光ビームが入射した際に生じる入射面からの反射光が塗料によって拡散し、被走査体に到達するゴースト光を低減することができる。また、この光走査装置は、センサを光軸に対して傾けたり、遮光板などの別部材を配置させたりする必要がないため、光学系の設計・製造が容易となる。
【発明の効果】
【００１４】
以上のように、本発明の光走査装置によれば、被走査体に到達するゴースト光を低減できる。
【発明を実施するための最良の形態】
【００１５】
以下、図面を参照しながら本発明に係る撮像装置の好適な実施形態について詳細に説明する。なお、以下の説明において、「主走査方向」とは、後述の感光ドラム１７上での光ビームの走査方向を指し、「副走査方向」とは主走査方向に直交する方向、すなわち、主走査面の移動方向を指すものと定義する。
【００１６】
［第１実施形態］
図１は、本発明の実施形態に係る光走査装置１を示す概略図である。図１に示すように、光走査装置１は、例えばフルカラー型レーザープリンタ等の画像形成装置に搭載されるものである。この光走査装置１は、光源３と、コリメータレンズ５と、反射ミラー７と、シリンドリカルレンズ９と、ポリゴンミラー（回転多面鏡）１１と、ｆθレンズ１３と、シリンドリカルミラー１５と、を備えて構成されている。これらの各光学素子は、光学ベース（図示しない）上に配置されている。また、光走査装置１に対峙させて感光ドラム（被走査体）１７が配置されている。そして、光走査装置１によって光ビームが走査されることにより、感光ドラム１７の表面に静電潜像が形成されるようになっている。
【００１７】
光源１は、走査用の４本の光ビームを出射するＬＤ（レーザーダイオード）である。この４本の光ビームは、それぞれイエロー、マゼンダ、シアン、ブラックの４色に対応した静電潜像を感光ドラム１７上に形成するために用いられる。光源１から出射した光ビームは、コリメータレンズ５によって平行光に変換されると共に、シリンドリカルレンズ９によって副走査方向に集光させられる。そして、光ビームは、複数の反射ミラー７によって装置１の内部を反射しながらポリゴンミラー１１に導かれる。
【００１８】
ポリゴンミラー１１は、扁平な六角柱状部材の各側面を反射面とした多面鏡である。このポリゴンミラー１１は、回転軸１２を中心として矢印Ａ方向に等速で回転するように動作する。そのため、ポリゴンミラー１１に入射する光ビームの反射角度はポリゴンミラー１１の回転動作に伴って徐々に変化していく。そして、反射後の光ビームはｆθレンズ１３及びシリンドリカルミラー１５を介して感光ドラム１７の表面に結像され、感光ドラム１７の表面を主走査方向に等速で走査する。
【００１９】
また、光走査装置１は、光ビームの走査を開始するタイミング検出に関して、ＳＯＳセンサ（走査開始検出センサ）１９を備えている。
【００２０】
このＳＯＳセンサ１９は、ポリゴンミラー１１の近傍に配置されており、ポリゴンミラー１１から反射する光ビームの一部がミラー２０で折り返されてＳＯＳセンサ１９に入射するようになっている。そして、ＳＯＳセンサ１９が光ビームを検出すると、検出信号が制御部（図示しない）に出力され、この制御部によって所定のクロック数がカウントされた後、形成すべき画像のデータ等に基づいて光源３の発光制御がなされる。これにより、感光ドラム１７上における光ビームの走査開始のタイミングが決定される。
【００２１】
また、図２に示すように、ＳＯＳセンサ１９は、透光性を有するパッケージ２５内に受光素子２３を収容して構成されている。例えば、基板２１に固定された受光素子２３がアクリル製のパッケージ２５内に収容されている。
【００２２】
ここで、装置１へのＳＯＳセンサ１９の採用にあたっては、ＳＯＳセンサ１９の入射面２７における光ビームの反射が問題となる。これは、入射面２７からの反射光（以下、ゴースト光と記す）が装置１内部を伝搬して感光ドラム１７に到達すると、正しい静電潜像が形成されず、印画不良を引き起こす要因となるためである。
【００２３】
そこで、ＳＯＳセンサ１９の入射面２７は、所定の粗さを有する磨り面となっている。すなわち、入射面２７は、光ビームを拡散させてその反射光がゴースト光とならないような粗さとされる。
【００２４】
これにより、ＳＯＳセンサ１９に光ビームが入射した際に生じる入射面２７からのゴースト光が拡散し、感光ドラム１７に到達するゴースト光を低減することができる。また、このＳＯＳセンサ１９によれば、ゴースト光の低減にあたって入射面２７を光ビームの光軸に対して傾けたり、遮光板などの別部材を配置させたりする必要がないため、設計や製造が容易となる。
【００２５】
［第２実施形態］
続いて、本発明に係る光走査装置の第２実施形態について説明する。この実施形態では、上述した実施形態におけるＳＯＳセンサ１９に代えて、ＳＯＳセンサ１９ａを備えている。その他の構成については第１実施形態と同様である。
【００２６】
図３に示すように、このＳＯＳセンサ１９ａは、透光性を有するパッケージ３３内に受光素子３１を収容して構成されている。例えば、基板２９に固定された受光素子３１がアクリル製のパッケージ３３内に収容されている。
【００２７】
また、ＳＯＳセンサ１９ａの入射面３５には所定のパワーが付けられている。すなわち、入射面２７には、光ビームを拡散させてその反射光がゴースト光とならないようなパワーが付けられる。
【００２８】
そのため、ＳＯＳセンサ１９ａに光ビームが入射した際に生じる入射面からの反射光が屈折によって拡散し、感光ドラム１７に到達するゴースト光を低減することができる。また、このＳＯＳセンサ１９ａによれば、ゴースト光の低減にあたって入射面３５を光軸に対して傾けたり、遮光板などの別部材を配置させたりする必要がないため、設計・製造が容易となる。
【００２９】
なお、本実施形態では、入射面３５には正のパワーが付けられているが、パワーの付け方はこれに限られるものではない。すなわち、入射面３５に負の（凹状の）パワーを付けてもよい。これによっても、上述した効果と同等の効果を奏する。
【００３０】
［第３実施形態］
続いて、本発明に係る光走査装置の第３実施形態について説明する。この実施形態では、第1実施形態におけるＳＯＳセンサ１９に代えて、ＳＯＳセンサ１９ｂを備えている。その他の構成については第１実施形態と同様である。
【００３１】
図４に示すように、このＳＯＳセンサ１９ｂは、透光性を有するパッケージ４１内に受光素子３９を収容して構成されている。例えば、基板３７に固定された受光素子３９がアクリル製のパッケージ４１内に収容されている。
【００３２】
また、ＳＯＳセンサ１９ｂの入射面４３には、光ビームを拡散して反射させる接着剤４５が塗布されている。
【００３３】
そのため、ＳＯＳセンサ１９ｂに光ビームが入射した際に生じる入射面からの反射光が接着剤４５によって拡散し、感光ドラム１７に到達するゴースト光を低減することができる。なお、ＳＯＳセンサ１９ｃの光ビーム検出感度は、接着剤４５の透明性によって担保されている。また、このＳＯＳセンサ１９ｂによれば、ゴースト光の低減にあたって入射面４３を光軸に対して傾けたり、遮光板などの別部材を配置させたりする必要がないため、設計・製造が容易となる。
【００３４】
［第４実施形態］
続いて、本発明に係る光走査装置の第４実施形態について説明する。この実施形態では、第1実施形態におけるＳＯＳセンサ１９に代えて、ＳＯＳセンサ１９ｃを備えている。その他の構成については第１実施形態と同様である。
【００３５】
図５に示すように、このＳＯＳセンサ１９ｃは、透光性を有するパッケージ５１内に受光素子４９を収容して構成されている。例えば、基板４７に固定された受光素子４９がアクリル製のパッケージ５１内に収容されている。
【００３６】
また、ＳＯＳセンサ１９ｃの入射面５３には、光ビームを拡散して反射させる塗料５５が塗布されている。
【００３７】
そのため、ＳＯＳセンサ１９ｃに光ビームが入射した際に生じる入射面からの反射光が、塗料５５に含有される粒子によって拡散し、感光ドラム１７に到達するゴースト光を低減することができる。また、このＳＯＳセンサ１９ｃによれば、ゴースト光の低減にあたって入射面５３を光軸に対して傾けたり、遮光板などの別部材を配置させたりする必要がないため、設計・製造が容易となる。
【図面の簡単な説明】
【００３８】
【図１】本発明に係る光走査装置の一実施形態を示す概要図である。
【図２】第１実施形態におけるＳＯＳセンサの側断面図である。
【図３】第２実施形態におけるＳＯＳセンサの側断面図である。
【図４】第３実施形態におけるＳＯＳセンサの側断面図である。
【図５】第４実施形態におけるＳＯＳセンサの側断面図である。
【符号の説明】
【００３９】
１…光走査装置、３…光源、１１…ポリゴンミラー（回転多面鏡）、１７…感光ドラム（被走査体）、１９，１９ａ，１９ｂ，１９ｃ…ＳＯＳセンサ（走査開始検出センサ）、２７，３５，４３，５３…入射面、４５…接着剤、５５…塗料。
【図１】
2005352413.tif 000003
【図２】
2005352413.tif 000004
【図３】
2005352413.tif 000005
【図４】
2005352413.tif 000006
【図５】
2005352413.tif 000007